(57)【要約】【課題】  ケーブルが損傷した際における損傷の判別が可能なケーブルの梱包方法を提供する。【解決手段】  ドラム１２の胴部へケーブル１１を巻き付け、この巻き付けたケーブル１１の周囲を、耐水材料から形成されたシート１５によって覆う。さらに、その外周を、複数の板１６を周方向へわたって配設してドラム１２の鍔部１４へ釘１７で打ち付けて固定して覆う。梱包解除後に、シート１５における損傷の有無からケーブル１１の損傷時期を判断する。【選択図】      図１
2006176171.tif 000002
【特許請求の範囲】
【請求項１】
ドラムの胴部にケーブルが巻かれ、前記胴部の両側の鍔部の外周を複数の板で覆い、前記複数の板を前記鍔部に釘で固定するケーブルの梱包方法であって、前記複数の板を前記鍔部に固定する前に、前記胴部に巻かれた状態のケーブル外周部を、釘等による損傷を受けた際の痕跡が残るシートで覆うことを特徴とするケーブルの梱包方法。
【請求項２】
前記シートは、前記鍔部に対して固定され、前記鍔部と前記シートの相対位置にマークを付けることを特徴とする請求項１記載のケーブルの梱包方法。
【請求項３】
前記シートに、梱包解除時には釘によるケーブルの損傷に対する注意事項を表記しておくことを特徴とする請求項１記載のケーブルの梱包方法。
【請求項４】
前記シートは、耐水性材料で形成されていることを特徴とする請求項１記載のケーブル梱包方法。
【発明の詳細な説明】
【技術分野】
【０００１】
本発明は、ドラムにケーブルを巻き付けて梱包するケーブルの梱包方法に関する。
【背景技術】
【０００２】
一般に、ケーブルは、ドラムの胴部に巻き付けることにより梱包され、輸送あるいは保管される。
特に、輸送時では、ドラムの胴部に巻き付けたケーブルを保護するために、ドラムの両端の鍔部に、周方向へわたって複数の板を釘で打ち付け、胴部に巻かれたケーブルを囲っていた。複数の板は針金を介して、バラけないように連結固定されており、梱包解除時に、連結された板群が丸まり、打ち付けられた釘がケーブル外表面を傷付けることがある。
【発明の開示】
【発明が解決しようとする課題】
【０００３】
ところで、胴部にケーブルを巻いたドラムの鍔部を板によって直接囲う梱包方法では、梱包を解除する際に、平板に打ち付けた釘によってケーブルを損傷させることがあり、特に、光ファイバケーブルの場合、損傷によって伝送不良が生じてしまう。
しかし、その損傷が、梱包解除によるものであるか、梱包によるものであるかを判別する手段がなく、責任の所在を明確にすることが困難であった。
【０００４】
この発明は、万一ケーブルが損傷した際における損傷の判別が可能なケーブル梱包方法を提供することを目的としている。
【課題を解決するための手段】
【０００５】
上記目的を達成するために、本発明に係るケーブルの梱包方法は、ドラムの胴部にケーブルが巻かれ、前記胴部の両側の鍔部の外周を複数の板で覆い、前記複数の板を前記鍔部に釘で固定するケーブルの梱包方法であって、前記複数の板を前記鍔部に固定する前に、前記胴部に巻かれた状態のケーブル外周部を、釘等による損傷を受けた際の痕跡が残るシートで覆うことを特徴とする。
【０００６】
また、本発明に係るケーブルの梱包方法は、前記シートは、前記鍔部に対して固定され、前記鍔部と前記シートの相対位置にマークを付けることが望ましい。
【０００７】
また、本発明に係るケーブルの梱包方法は、前記シートに、梱包解除時には釘によるケーブルの損傷に対する注意事項を表記しておくことが望ましい。
【０００８】
また、本発明に係るケーブルの梱包方法は、前記シートは、耐水性材料で形成されていることが望ましい。
【発明の効果】
【０００９】
本発明のケーブル梱包方法によれば、梱包時、及び梱包解除時のケーブルの損傷を、シートの損傷を確認することにより、早期に確認できる。
【発明を実施するための最良の形態】
【００１０】
以下、本発明のケーブル梱包方法の実施形態について、図面を参照して説明する。
図１は、本実施形態に係るケーブル梱包構造を示す一部を破断した斜視図、図２は、梱包に用いるドラムを示す斜視図、図３〜図６は、本実施形態に係るケーブル梱包方法の手順を説明する斜視図である。
図１に示すように、ケーブル１１は、ドラム１２に巻き付けられて梱包されている。このケーブル１１は、例えば、内部に複数の光ファイバケーブルを束ねた光ケーブルである。
【００１１】
図２に示すように、ケーブル１１が巻き付けられるドラム１２は、円筒状の胴部１３と、この胴部１３の両端に固定された円板状の鍔部１４とから構成されており、胴部１３と鍔部１４とから円筒状の収納部１２ａが形成されている。そして、このドラム１２には、円筒状の胴部１３に、ケーブル１１が巻き付けられ、これにより、ケーブル１１がドラム１２の収納部１２ａに収納されている。
【００１２】
また、胴部１３に巻き付けられたケーブル１１には、その外周側に、例えば、蝋をコーティングした紙、ビニールシート、プラスチックシート、エアクッションなどの安価な材料からなるシート１５が巻かれている。これらのシートを用いることで耐水性を有し、屋外で使用することができる。このシートは釘等による損傷を受けた際に、痕跡が残るようになっている。また、梱包解除時に現場で使用される工具（バール等）、先の尖った木片により、ケーブルに損傷を与えることがあり、それらについても痕跡が残るようなシートであれば、さらに好ましい。
ドラム１２には、複数の板１６が周方向へわたって配設され、これら板１６が、鍔部１４へ釘１７によって打ち付けられて固定されている。そして、これら板１６によって、胴部１３に巻き付けられたケーブル１１の外周側が覆われ、ドラム１２の収納部１２ａが塞がれ、ケーブル１１が確実に保護されている。円周状に釘打ちされた板１６は、その両側で針金１８、１８を巻き回し、止め具１９、１９により板１６に針金１８、１８が固定される。従って、円周状に配列された板１６は針金１８、１８を介して連結固定されている。ドラムの保管・使用環境により、板どうし１６、１６の間から雨泥等がドラム１２内に流れ込むことがあるが、ケーブル１１はシート１５により覆われているので、ケーブル外表面への汚れの付着が低減できる。
【００１３】
次に、上記のようにケーブル１１を梱包する梱包方法を、手順に沿って説明する。
まず、図３に示すように、ドラム１２の胴部１３に、ケーブル１１を巻き付け、ドラム１２の収納部１２ａにケーブル１１を収納させる。
次いで、図４に示すように、ドラム１２の胴部１３に巻き付けたケーブル１１の外周側に、シート１５を巻き付け、ケーブル１１の外周側をシート１５によって完全に覆う。
【００１４】
さらに、図５に示すように、ドラム１２の外周に板１６を配設し、鍔部１４へ釘１７によって打ち付けて固定する。
このようにして、図６に示すように、板１６によって、胴部１３に巻き付けたケーブル１１の外周側全周を覆い、ドラム１２の収納部１２ａを閉鎖する。
【００１５】
そして、上記のようなケーブル梱包構造では、平板１６を取り外す際に、釘１７によってケーブル１１を損傷させてしまった場合、収納しているケーブル１１の外周を覆うシート１５にも、穴や裂け目などの損傷が生じることとなる。したがって、釘１７によってケーブル１１が損傷し、シート１５の損傷を確認することにより、損傷が梱包を解除した際に生じたものであると判断することができる。
【００１６】
つまり、上記実施形態に係るケーブル梱包方法によれば、シートに損傷が無く、ケーブルが損傷していた場合には、ケーブルの損傷が製造時に発生したものと判断することができる。また、シートに損傷が有り、ケーブルが損傷した場合は、ケーブルがドラムに収納された以降にケーブルの損傷が発生したものと判断できる。
【００１７】
なお、シート１５としては、釘１７が刺さった際に痕跡が残る材料で、しかも、表面形状が経時的に著しく変化（１ヶ月程度で変化）することがない強度を持ち、ケーブル１１と化学反応を起こさないものであれば、前述したものに限定されない。
また、シート１５に、例えば、ケーブル１１の取り扱いの注意事項、敷設作業手順、あるいはケーブル１１の種別などを記載しておくことにより、梱包解除後における作業の円滑化を図ることができる。特に、梱包解除時の釘によるケーブルの損傷に対する注意事項をシート１５に記載しておけば、梱包解除時のケーブルの損傷を未然に防止することができる。
【００１８】
また、シートを鍔部に対して固定しておき、鍔部とシートとの相対位置にマークを付けておくことが好ましい。このようにすることで、シート除去後に、どのドラムと対応し、どの位置でケーブルの損傷が発生したのか確認することができる。
【００１９】
なお、上記実施形態では、梱包するケーブル１１として光ファイバケーブルを例にとって説明したが、本発明のケーブル梱包方法は、いかなるケーブルでも適応可能である。
【図面の簡単な説明】
【００２０】
【図１】本実施形態に係るケーブル梱包構造を示す一部を破断した斜視図である。
【図２】梱包に用いるドラムを示す斜視図である。
【図３】本実施形態に係るケーブル梱包方法の手順を説明する斜視図である。
【図４】本実施形態に係るケーブル梱包方法の手順を説明する斜視図である。
【図５】本実施形態に係るケーブル梱包方法の手順を説明する斜視図である。
【図６】本実施形態に係るケーブル梱包方法の手順を説明する斜視図である。
【符号の説明】
【００２１】
１１  ケーブル
１２  ドラム
１３  胴部
１４  鍔部
１５  シート
１６  板
１７  釘
【図１】
2006176171.tif 000003
【図２】
2006176171.tif 000004
【図３】
2006176171.tif 000005
【図４】
2006176171.tif 000006
【図５】
2006176171.tif 000007
【図６】
2006176171.tif 000008